(57)【要約】    【課題】      無線通信手段のデータの送受信を維持しながら非接触通信手段の送信データとの相互の無線干渉を防止し、かつ、効率的に相互の通信を行うことができる通信端末装置、通信システム及び通信方法を提供すること。    【解決手段】  無線部１１２は、対向する基地局との間で定期的にデータの間欠送受信を行う。無線制御部１１５は、無線部１１２が間欠送受信周期に移行されたことを間欠休止区間検出部１４０に通知する。間欠休止区間検出部１４０は、無線制御部１１５より通知された間欠送受信周期からデータの送受信を休止する間欠休止区間を検出する。制御部１３０は、間欠休止区間検出部１４０で検出された間欠休止区間に非接触通信部１２１にデータの送信を行わせるように制御する。  【選択図】      図１
2007067818.tif 000002
【特許請求の範囲】
【請求項１】
基地局と無線通信を行う無線通信手段と、
近接したリーダライタと非接触で無線通信を行う非接触通信手段と、
前記無線通信手段がデータの送受信を休止する間欠休止区間を検出する間欠休止区間検出手段と、
検出された前記間欠休止区間において前記非接触通信手段にデータの送信を実行させる制御手段と、
を具備する通信端末装置。
【請求項２】
前記制御手段は、前記無線通信手段が前記間欠休止区間から間欠送信区間又は間欠受信区間に切り替る時において前記非接触通信手段が前記データの送信途中である時に前記非接触通信手段の前記データの送信を待機させた後に前記無線通信手段の前記間欠送信区間又は前記間欠受信区間が終了した時に前記非接触通信手段に前記データの送信を再開させる請求項１に記載の通信端末装置。
【請求項３】
通信端末装置と非接触通信装置を具備し、
前記通信端末装置は、
基地局との間で無線通信を行う無線通信手段と、
前記非接触通信装置との間で非接触で無線通信を行う第一の非接触通信手段と、を具備し、
前記非接触通信装置は前記通信端末装置と非接触で無線通信を行う第二の非接触通信手段を具備する通信システムにおいて、
前記通信端末装置は、
前記無線通信手段がデータの送受信を休止する間欠休止区間を検出する間欠休止区間検出手段と、
検出された前記間欠休止区間において前記第一の非接触通信手段にデータの送信を実行させる制御手段と、を具備し、
前記非接触通信装置は、
前記第一の非接触通信手段との間で無線でデータの送受信を行う前記第二の非接触通信手段と、
前記第二の非接触通信手段とデータの送受信を行うリーダライタと、
を具備する通信システム。
【請求項４】
前記制御手段は、
前記無線通信手段が前記間欠休止区間から間欠送信区間又は間欠受信区間に切り替わる時において前記第一の非接触通信手段が前記データの送信途中である時に前記第一の非接触通信手段の前記データの送信を待機させる待機手段と、
前記無線通信手段の前記間欠送信区間又は前記間欠受信区間が終了した時に前記第一の非接触通信手段に前記データの送信を再開させる再開手段と、
を具備する請求項３に記載の通信システム。
【請求項５】
基地局と無線通信を行う無線通信手段と近接したリーダライタと非接触通信を行う非接触通信手段とを具備する通信端末装置における通信方法において、
前記無線通信手段がデータの送受信を休止する間欠休止区間を検出する間欠休止区間検出ステップと、
検出された前記間欠休止区間において前記非接触通信手段にデータの送信を実行させる制御ステップと、
を具備する通信方法。
【請求項６】
前記制御ステップは、
前記無線通信手段が前記間欠休止区間から間欠送信区間又は間欠受信区間に切り替る時において前記非接触通信手段が前記データの送信途中である時に前記非接触通信手段の前記データの送信を待機させる待機ステップと、
前記無線通信手段の前記間欠送信区間又は前記間欠受信区間が終了した時に前記非接触通信手段に前記データの送信を再開させる再開ステップと、
を具備する請求項５に記載の通信方法。
【発明の詳細な説明】
【技術分野】
【０００１】
本発明は、基地局と無線通信を行い、かつ、近接したリーダライタと非接触で無線通信を行う通信端末装置、通信システム及び通信方法に関する。
【背景技術】
【０００２】
従来、非接触通信システムに対応した携帯端末装置として、非接触ＩＣカード及び非接触ＩＣタグ等のＲＦＩＤ（Radio Frequency IDentification）システムを利用した非接触式のデータ送受機能を備えた携帯端末装置が提案されている（特許文献１）。
【０００３】
例えば、このような非接触ＩＣタグとしては、内蔵された電池等からのエネルギーにより情報をやりとりするアクティブタイプと、携帯端末装置からの電波のエネルギーにより非接触ＩＣタグに電力を供給し情報をやりとりするパッシブタイプとがある。今後パッシブタイプの非接触ＩＣタグは、小型軽量化が容易である等の点で、携帯端末装置に組み込まれるものとして普及しつつある。
【０００４】
パッシブタイプの非接触ＩＣタグは、非接触通信部からアンテナを介し無線信号を受信し、電力が供給され起動する。起動した非接触ＩＣタグは前記非接触通信部からのコマンドを解釈し、このコマンドに応じてＩＤコード等の情報を前記非接触通信部に無線で返信する。
【０００５】
しかし、非接触式のデータ送受機能が組み込まれた携帯端末装置において、通話又はデータ通信と非接触通信とを同時に行うとすると、携帯電話側の電波と非接触通信側の電波とが干渉を起こし相互の通信が正しくできないという問題が起こる。
【０００６】
そこで、従来の非接触通信機能を組み込んだ携帯端末装置は、相互無線干渉を防止するために非接触通信の開始を検出し、携帯電話の送信データの送信出力レベルを低減する。
【０００７】
図５は従来の携帯端末装置の構成の一例を示す図である。
【０００８】
この携帯端末装置１は、携帯電話部２、非接触通信部３、外部インターフェース（Ｉ／Ｆ）４及び制御部５を備える。携帯電話部２は、携帯電話等の移動体通信を行う。非接触通信部３は、リーダライタを有する非接触通信装置６と非接触通信を行う。
【０００９】
携帯電話部２は、携帯電話用アンテナと、受信部及び送信部を含む無線部と、受信制御部及び送信制御部を含む無線制御部と、を有している。送信制御部には、送信部の送信出力レベルを可変させる送信レベル制御部が備えられている。
【００１０】
携帯電話部２の通信中に非接触通信信号が検知された場合、非接触通信期間中は送信レベル制御部が予め設定したレベルだけ携帯電話部２の送信出力レベルを低下させるように送信部の送信レベルを制御することにより、携帯電話部２の送信信号と非接触通信部３の通信信号との相互干渉を低減させている。  
【特許文献１】特開２００４−２８２４８５号公報
【発明の開示】
【発明が解決しようとする課題】
【００１１】
しかしながら、上記従来の携帯端末装置では、単に非接触通信の開始を検出し携帯電話側の送信出力レベルを低減させるため、携帯電話部がデータを受信している時の受信電波と非接触通信側の電波との相互の無線干渉を充分に防止することができないから、携帯電話部の受信電波と非接触通信の送信電波が干渉を起こし相互の通信が正しくできなくなる問題がある。
【００１２】
本発明は、かかる点に鑑みてなされたものであり、非接触通信機能が組み込まれた通信端末装置において、無線通信手段のデータの送受信を維持しながら非接触通信手段の送信データとの相互の無線干渉を防止し、かつ、効率的に相互の通信を行うことができる通信端末装置、通信システム及び通信方法を提供することを目的とする。
【課題を解決するための手段】
【００１３】
本発明は、基地局と無線通信を行う無線通信手段と、近接したリーダライタと非接触で無線通信を行う非接触通信手段と、前記無線通信手段がデータの送受信を休止する間欠休止区間を検出する間欠休止区間検出手段と、検出された前記間欠休止区間において前記非接触通信手段にデータの送信を実行させる制御手段と、を具備する構成を採る。
【発明の効果】
【００１４】
本発明によれば、無線通信手段のデータの送受信と非接触通信手段の通信相互の無線干渉を防止し、かつ無線通信手段のデータの送受信を維持すると共に効率的に非接触通信手段の通信を行うことができる。
【発明を実施するための最良の形態】
【００１５】
以下、本発明の実施の形態について、図面を参照して詳細に説明する。
【００１６】
（実施の形態１）
図１は本発明の実施の形態１に係る通信システムの構成を示すブロック図である。図１に示すように、本実施の形態に係る通信システムは、携帯電話等の通信端末装置１００と、この通信端末装置１００と近接して配置される非接触通信装置２００と、を有している。
【００１７】
通信端末装置１００は、携帯電話部１１０、アンテナ１２０、非接触通信部１２１、リーダライタ１２２、外部インターフェース（Ｉ／Ｆ）１２３、制御部１３０及び間欠休止区間検出部１４０を有している。
【００１８】
携帯電話部１１０は、無線通信手段の一つであり、基地局と通話又はデータ通信等の無線通信を行う。非接触通信部１２１は、通信端末装置１００と近接して配置される非接触通信装置２００と無線で非接触通信を行う。制御部１３０は、携帯電話部１１０、外部インターフェース１２３及び間欠休止区間検出部１４０を制御する。間欠休止区間検出部１４０は、携帯電話部１１０の通信状態より間欠休止区間を検出し制御部１３０に通知する。
【００１９】
携帯電話部１１０は、無線部１１２及び無線制御部１１５並びに図示しない通話部、表示部、操作部及び電池を有している。無線部１１２は、アンテナ１１１、送信部１１３及び受信部１１４を有している。無線制御部１１５は、送信制御部１１６及び受信制御部１１７を有している。
【００２０】
送信部１１３は、図示しない基地局にアンテナ１１１を介してデータを送信する。また、受信部１１４は、基地局からアンテナ１１１を介してデータを受信する。送信制御部１１６及び受信制御部１１７は送信部１１３及び受信部１１４をそれぞれ制御する。
【００２１】
制御部１３０は、入出力部１３１及びＣＰＵ１３２を有している。入出力部１３１は、携帯電話部１１０、外部インターフェース１２３及び間欠休止区間検出部１４０から必要な情報を受け取ってＣＰＵ１３２に伝える。ＣＰＵ１３２は、受け取った情報をもとに入出力部１３１を介して各部に必要な処理を実行させる。
【００２２】
無線部１１２は、対向する基地局との間で定期的に間欠送受信を行う。無線制御部１１５は、無線部１１２が間欠送受信周期に移行されたことを間欠休止区間検出部１４０に通知する。
【００２３】
間欠休止区間検出部１４０は、無線制御部１１５より通知された間欠送受信周期からデータの送受信を休止する間欠休止区間を検出する。制御部１３０は、間欠休止区間検出部１４０で検出された間欠休止区間において非接触通信部１２１にデータの送信を行わせるよう制御する。
【００２４】
リーダライタ１２２は、外部インターフェース１２３を介し制御部１３０からの制御情報を受けてこの制御情報に基づいて制御部１３０及び非接触通信部１２１との間でデータの送受信を行う。また、リーダライタ１２２は、非接触通信部１２１からの制御情報に基づいて非接触通信部１２１及び制御部１３０との間でデータの送受信を行う。
【００２５】
非接触通信装置２００は、アンテナ２０１、非接触通信部２０２及びリーダライタ２０３を有している。非接触通信装置２００は、非接触通信部１２１からの無線信号（電波）を受けて電力を生成する電力生成回路（図示せず）を有し、この電力生成回路が非接触通信部２０２及びリーダライタ２０３に電力を供給する。つまり、非接触通信装置２００は、非接触通信部１２１からアンテナ１２０、２０１を介し無線信号を受信し、電力が供給され起動する。
【００２６】
なお、非接触通信装置２００は、上述したパッシブタイプに限定されるものではなく、内蔵された電池からのエネルギーにより情報のやりとりを行うアクティブタイプ又は前記パッシブタイプと前記アクティブタイプを組み合わせたセミパッシブタイプでも構わない。
【００２７】
非接触通信部２０２は、アンテナ２０１、１２０を介して非接触通信部１２１との間で無線でデータの送受信を行う。また、リーダライタ２０３は、非接触通信部２０２からの制御情報に基づいて非接触通信部２０２との間でデータの送受信を行う。
【００２８】
図２は通信端末装置１００の携帯電話部１１０と非接触通信部１２１の各動作を説明するタイミングチャートである。図２（ａ）は、間欠送受信時の携帯電話部１１０の送受信データを示している。図２（ｂ）は、間欠送受信時の非接触通信部１２１の非接触通信データを示している。なお、図２（ａ）は、携帯電話部１００の送受信データとして説明しているが、送信データ又は受信データのみの場合でも同じである。
【００２９】
図２（ａ）の間欠送受信周期中の区間（ｔ0-ｔ1）、（ｔ4-ｔ5）、（ｔ8-ｔ9）及び（ｔ12-ｔ13）は、携帯電話部１１０が間欠的に送受信データを送受信している間欠送受信区間（間欠送信区間及び間欠受信区間）を示している。この間欠送受信区間においては、携帯電話部１１０によるデータの送受信が優先される、つまり、携帯電話部１１０によるデータの送受信が維持され、かつ、非接触通信部１２１はデータの送信を行わない。
【００３０】
携帯電話部１１０の間欠送受信区間（ｔ0-ｔ1）が終了すると、図２（ｂ）に示すように、間欠休止区間検出部１４０が検出した間欠休止区間（ｔ1-ｔ4）における区間（ｔ2-ｔ3）で非接触通信部１２１はデータの送信を実行する。
【００３１】
そして、非接触通信部１２１の通信が終了後、再び間欠送受信区間（ｔ4-ｔ5）に移行する。その後も同様に、間欠休止区間検出部１４０が検出した間欠休止区間（ｔ5-ｔ8）及び（ｔ9-ｔ12）における区間（ｔ6-ｔ7）及び（ｔ10-ｔ11）で、非接触通信部１２１はデータの送受信を行う。
【００３２】
例えば、間欠受信の場合、待ち受け受信状態にある通信端末装置１００は、対向する基地局と定期的に同期を取りつつ受信をしながら、基地局から送られる信号を必要なときだけ受信部を起動させ受信を行うことにより｛図２（ａ）で示す区間（ｔ0-ｔ1）、（ｔ4-ｔ5）、（ｔ8-ｔ9）及び（ｔ12-ｔ13）｝、省電力化（バッテリーセービング）を図っている。このように、携帯電話部１１０がデータの送受信を休止している間欠休止区間（ｔ1-ｔ4）、（ｔ5-ｔ8）及び（ｔ9-ｔ12）を非接触通信部１２１が有効に利用することにより、効率的にデータの送信を行う。
【００３３】
このように、本実施の形態１によれば、間欠休止区間検出部１４０が携帯電話部１１０の通信状態から間欠休止区間を検出し、検出した間欠休止区間の間に非接触通信部１２１がデータの送信を行うようにするため、携帯電話部１１０のデータの送受信を維持しながら非接触通信部１２１の送信データとの相互の無線干渉を防止し、かつ、効率的に相互の通信を行うことができる。
【００３４】
なお、上記実施の形態１においては、間欠休止区間検出部１４０は、通信端末装置１００内に独立して備えるものとしたが、例えば携帯電話部１１０又は制御部１３０の内部に設けるようにしても良い。
【００３５】
また、上記実施の形態１においては、通信端末装置１００にリーダライタ１２２を備えるものとしたが、例えばリーダライタ１２２の機能を携帯電話部１１０内の機能で代替し、リーダライタ１２２を削除するようにしても良い。
【００３６】
（実施の形態２）
次に、本発明の実施の形態２について、図面を参照して詳細に説明する。
【００３７】
本発明の実施の形態２の特徴は、非接触通信部がデータの送信途中の時において、携帯電話部の通信状態が間欠休止区間から間欠送受信区間に切り替わる時に非接触通信部のデータの送信を待機させ、かつ、携帯電話部のデータの送受信が終了した時に待機していた非接触通信部のデータ送受信を再開する点である。
【００３８】
図３は、本発明の実施の形態２に係る通信システムの構成を示す図である。図３に示す通信システムにおいて、図１に示す通信システムと同じ部分については同じ符号を付し、その説明を省略する。
【００３９】
図３に示すように、本発明の実施の形態２に係る通信システムは、通信端末装置３００及び非接触通信装置２００を具備している。
【００４０】
通信端末装置３００は、携帯電話部１１０、アンテナ１２０、非接触通信部１２１、リーダライタ１２２、外部インターフェース（Ｉ／Ｆ）１２３、制御部３０１及び間欠休止区間検出部１４０を有している。
【００４１】
上記構成において、無線制御部１１５は、携帯電話部１１０のデータの通信状態が間欠休止区間から間欠送受信区間に切り替わる時に、間欠休止区間の終了を制御部３０１に通知する。制御部３０１は、無線制御部１１５からの間欠休止区間の終了の通知を受けると、外部インターフェース１２３を介して非接触通信部１２１のデータの送信を待機させる。
【００４２】
そして、携帯電話部１１０のデータの送受信が終了すると、間欠休止区間検出部１４０は間欠休止区間を検出して制御部３０１に通知する。そして、制御部３０１は、データの送信を待機していた非接触通信部１２１のデータの送信を間欠休止区間において再開させる。
【００４３】
次いで、上記のように構成された通信端末装置３００の動作を説明する。図４は通信端末装置３００の携帯電話部１１０と非接触通信部１２１の各動作を説明するタイミングチャートである。
【００４４】
図４（ａ）及び（ｂ）に示すように、ｔ20の時点で携帯電話部１１０は間欠休止区間であるため、非接触通信部１２１は非接触通信装置２００へデータの送信を実行する｛区間（ｔ20-ｔ21）｝。
【００４５】
そして、ｔ21の時点で携帯電話部１１０の送受信データが間欠送信区間及び間欠受信区間に切り替るときに非接触通信部１２１が送信途中であるため、制御部３０１は非接触通信部１２１の送信処理を待機させ（ｔ21）、かつ、携帯電話部１１０はデータの送受信を実行する｛区間（ｔ21-ｔ22）｝。
【００４６】
そして、携帯電話部１１０の間欠送信区間及び間欠受信区間が終了したとき（時点ｔ22）、制御部３０１は、非接触通信部１２１にデータの送信を再開するよう指示を送り、非接触通信部１２１は待機したため送信できなかったデータについて送信を再開する｛区間（ｔ22-ｔ23）｝。
【００４７】
このように、本実施の形態２によれば、携帯電話部１１０が間欠休止区間から間欠送信区間又は間欠受信区間に切り替る時に非接触通信部１２１がデータの送信途中であれば、制御部３０１は非接触通信部１２１のデータの送信を待機させ、携帯電話部１１０の間欠送信区間又は間欠受信区間が終了した時に非接触通信部１２１のデータの送信を再開させるので、携帯電話部１１０のデータの送受信を維持しながら非接触通信部１２１の送信データとの相互の無線干渉を防止し、かつ、効率的に相互の通信を行うことができる。
【００４８】
また、送信途中で待機させられた非接触通信部１２１のデータの送信についても、携帯電話部１１０の間欠送信区間又は間欠受信区間の終了後にデータの送信を再開するので、非接触通信部１２１は残りのデータの全てを確実に送信することができる。
【００４９】
なお、本発明の通信システムにおいては、ＣＤＭＡ（Code Division Multiple Access:符号分割多元接続）方式及びＷ−ＣＤＭＡ（Wideband−CDMA）方式等の無線通信システムで決められた処理方式に基づいた通信が実行される。
【００５０】
本発明の第１の態様に係る通信端末装置は、基地局と無線通信を行う無線通信手段と、近接したリーダライタと非接触で無線通信を行う非接触通信手段と、前記無線通信手段がデータの送受信を休止する間欠休止区間を検出する間欠休止区間検出手段と、検出された前記間欠休止区間において前記非接触通信手段にデータの送信を実行させる制御手段と、を具備する構成を採る。
【００５１】
この構成によれば、間欠休止区間検出手段が検出した無線通信手段がデータの送受信を休止する間欠休止区間に非接触通信手段がデータの送信を行うため、無線通信手段の送受信電波と非接触通信手段の送信電波相互の無線干渉を防止すると共に、無線通信手段のデータ送受信を優先させかつ非接触通信手段の通信を行うことができる。
【００５２】
また、この構成によれば、無線通信手段がデータの送受信を休止する間欠休止区間を利用して非接触通信手段にデータの送信を実行させるため、効率的に相互の通信を行うことが可能となる。
【００５３】
本発明の第２の態様に係る通信端末装置は、上記第１の態様において、前記制御手段は、前記無線通信手段が前記間欠休止区間から間欠送信区間又は間欠受信区間に切り替る時において前記非接触通信手段が前記データの送信途中である時に前記非接触通信手段の前記データの送信を待機させた後に前記無線通信手段の前記間欠送信区間又は前記間欠受信区間が終了した時に前記非接触通信手段に前記データの送信を再開させる、構成を採る。
【００５４】
この構成によれば、無線通信手段が間欠休止区間から間欠送信区間又は間欠受信区間に切り替る時において、非接触通信手段がデータの送信途中である時に非接触通信手段のデータ送信を待機させた後に、無線通信手段の間欠送信区間又は間欠受信区間が終了した時に非接触通信手段のデータの送信を再開させるので、無線通信手段の送受信電波と非接触通信手段の送信電波相互の無線干渉を防止すると共に、無線通信手段のデータの送受信を優先させることができる。
【００５５】
また、この構成によれば、送信途中で待機させられた非接触通信手段のデータの送信についても、無線通信手段の間欠送信区間又は間欠受信区間の終了後にデータ送信を再開するので、非接触通信手段は残りのデータの全てを確実に送信することができる。
【００５６】
本発明の第３の態様に係る通信システムは、通信端末装置と非接触通信装置を具備し、前記通信端末装置は、基地局との間で無線通信を行う無線通信手段と、前記非接触通信装置との間で非接触で無線通信を行う第一の非接触通信手段と、を具備し、前記非接触通信装置は前記通信端末装置と非接触で無線通信を行う第二の非接触通信手段を具備する通信システムにおいて、前記通信端末装置は、前記無線通信手段がデータの送受信を休止する間欠休止区間を検出する間欠休止区間検出手段と、検出された前記間欠休止区間において前記第一の非接触通信手段にデータの送信を実行させる制御手段と、を具備し、前記非接触通信装置は、前記第一の非接触通信手段との間で無線でデータの送受信を行う前記第二の非接触通信手段と、前記第二の非接触通信手段とデータの送受信を行うリーダライタと、を具備する構成を採る。
【００５７】
この構成によれば、間欠休止区間検出手段が検出した無線通信手段がデータの送受信を休止する間欠休止区間に第一の非接触通信手段がデータの送信を行うため、無線通信手段の送受信電波と第一の非接触通信手段の送信電波相互の無線干渉を防止すると共に、無線通信手段のデータ送受信を優先させかつ第一の非接触通信手段の通信を行うことができる。
【００５８】
また、この構成によれば、無線通信手段がデータの送受信を休止する間欠休止区間を利用して第一の非接触通信手段にデータの送信を実行させるため、効率的に相互の通信を行うことが可能となる。
【００５９】
本発明の第４に係る通信システムは、上記第３の態様において、前記制御手段は、前記無線通信手段が前記間欠休止区間から間欠送信区間又は間欠受信区間に切り替わる時において前記第一の非接触通信手段が前記データの送信途中である時に前記第一の非接触通信手段の前記データの送信を待機させる待機手段と、前記無線通信手段の前記間欠送信区間又は前記間欠受信区間が終了した時に前記第一の非接触通信手段に前記データの送信を再開させる再開手段と、を具備する構成を採る。
【００６０】
この構成によれば、無線通信手段が間欠休止区間から間欠送信区間又は間欠受信区間に切り替る時において、非接触通信手段がデータの送信途中である時に非接触通信手段のデータ送信を待機させた後に、無線通信手段の間欠送信区間又は間欠受信区間が終了した時に非接触通信手段のデータの送信を再開させるので、無線通信手段の送受信電波と非接触通信手段の送信電波相互の無線干渉を防止すると共に、無線通信手段のデータの送受信を優先させることができる。
【００６１】
また、この構成によれば、送信途中で待機させられた非接触通信手段のデータの送信についても、無線通信手段の間欠送信区間又は間欠受信区間の終了後にデータ送信を再開するので、非接触通信手段は残りのデータの全てを確実に送信することができる。
【００６２】
本発明の第５の態様に係る通信方法は、基地局と無線通信を行う無線通信手段と近接したリーダライタと非接触通信を行う非接触通信手段とを具備する通信端末装置における通信方法において、前記無線通信手段がデータの送受信を休止する間欠休止区間を検出する間欠休止区間検出ステップと、検出された前記間欠休止区間において前記非接触通信手段にデータの送信を実行させる制御ステップと、を具備する。
【００６３】
この方法によれば、間欠休止区間検出ステップで検出された無線通信手段がデータの送受信を休止する間欠休止区間に非接触通信手段がデータの送信を行うため、無線通信手段の送受信電波と非接触通信手段の送信電波相互の無線干渉を防止すると共に、無線通信手段のデータ送受信を優先させかつ非接触通信手段の通信を行うことができる。
【００６４】
また、この方法によれば、無線通信手段がデータの送受信を休止する間欠休止区間を利用して非接触通信手段にデータの送信を実行させるため、効率的に相互の通信を行うことが可能となる。
【００６５】
本発明の第６の態様に係る通信方法は、上記第５の態様において、前記制御ステップは、前記無線通信手段が前記間欠休止区間から間欠送信区間又は間欠受信区間に切り替る時において前記非接触通信手段が前記データの送信途中である時に前記非接触通信手段の前記データの送信を待機させる待機ステップと、前記無線通信手段の前記間欠送信区間又は前記間欠受信区間が終了した時に前記非接触通信手段に前記データの送信を再開させる再開ステップと、を具備する。
【００６６】
この方法によれば、無線通信手段が間欠休止区間から間欠送信区間又は間欠受信区間に切り替る時において、非接触通信手段がデータの送信途中である時に非接触通信手段のデータ送信を待機させた後に、無線通信手段の間欠送信区間又は間欠受信区間が終了した時に非接触通信手段のデータの送信を再開させるので、無線通信手段の送受信電波と非接触通信手段の送信電波相互の無線干渉を防止すると共に、無線通信手段のデータの送受信を優先させることができる。
【００６７】
また、この方法によれば、送信途中で待機させられた非接触通信手段のデータの送信についても、無線通信手段の間欠送信区間又は間欠受信区間の終了後にデータ送信を再開するので、非接触通信手段は残りのデータの全てを確実に送信することができる。
【産業上の利用可能性】
【００６８】
本発明は、基地局と無線通信を行い、かつ、近接したリーダライタと非接触で無線通信を行う通信端末装置、通信システム及び通信方法として有用である。
【図面の簡単な説明】
【００６９】
【図１】本発明の実施の形態１に係る通信端末装置及び非接触通信装置を具備する通信システムの構成を示すブロック図
【図２】実施の形態１に係る通信端末装置における携帯電話部及び非接触通信部の動作を示すタイミングチャート
【図３】本発明の実施の形態２に係る通信端末装置及び非接触通信装置を具備する通信システムの構成を示すブロック図
【図４】実施の形態２に係る通信端末装置における携帯電話部及び非接触通信部の動作を示すタイミングチャート
【図５】従来の携帯端末装置の構成を示すブロック図
【符号の説明】
【００７０】
１００、３００  通信端末装置
１１０  携帯電話部
１１１、１２０、２０１  アンテナ
１１２  無線部
１１３  送信部
１１４  受信部
１１５  無線制御部
１１６  送信制御部
１１７  受信制御部
１２１、２０２  非接触通信部
１２２、２０３  リーダライタ
１２３  外部インターフェース（Ｉ／Ｆ）
１３０、３０１  制御部
１４０  間欠休止区間検出部
２００  非接触通信装置
【図１】
2007067818.tif 000003
【図２】
2007067818.tif 000004
【図３】
2007067818.tif 000005
【図４】
2007067818.tif 000006
【図５】
2007067818.tif 000007